(57)【要約】【課題】撮影画像を確認してピントの良否を判断するという煩雑な作業を低減する。【解決手段】デジタルカメラは、撮影光学系を介して被写体像を撮像して画像信号を出力する撮像素子と、撮影準備段階において、撮影光学系の焦点調節状態を検出して第１の焦点検出信号を出力する第１の焦点検出素子と、撮像素子に組み込まれ、撮影開始後に、撮影光学系の焦点調節状態を検出して第２の焦点検出信号を出力する第２の焦点検出素子と、第１の焦点検出信号に基づいて、撮影光学系を合焦位置に駆動する焦点調節手段と、撮影動作に応じて撮像素子から出力された画像信号に対応する撮影画像データと、第２の焦点検出信号に基づく属性情報とを関連付けて、格納する格納手段とを備える。【選択図】図２
2011209450.tif 000002
【特許請求の範囲】
【請求項１】
撮影光学系を介して被写体像を撮像して画像信号を出力する撮像素子と、
撮影準備段階において、前記撮影光学系の焦点調節状態を検出して第１の焦点検出信号を出力する第１の焦点検出素子と、
前記撮像素子に組み込まれ、撮影開始後に、前記撮影光学系の焦点調節状態を検出して第２の焦点検出信号を出力する第２の焦点検出素子と、
前記第１の焦点検出信号に基づいて、前記撮影光学系を合焦位置に駆動する焦点調節手段と、
前記撮影動作に応じて前記撮像素子から出力された前記画像信号に対応する撮影画像データと、前記第２の焦点検出信号に基づく属性情報とを関連付けて、格納する格納手段とを備えることを備えることを特徴とするデジタルカメラ。
【請求項２】
請求項１に記載のデジタルカメラにおいて、
前記焦点調節手段は、前記第１の焦点検出信号に基づいて、撮影時の被写体の移動を予測して、予測結果に基づいて前記撮影光学系を合焦位置に駆動することを特徴とするデジタルカメラ。
【請求項３】
請求項１または２のいずれか一項に記載のデジタルカメラにおいて、
前記属性情報は、撮影時における前記撮影光学系の焦点調節状態を示す情報を含むことを特徴とするデジタルカメラ。
【請求項４】
請求項３に記載のデジタルカメラにおいて、
前記属性情報に基づいて、撮影時における前記撮影光学系が合焦および非合焦のいずれであるかを判定する判定手段と、
前記判定手段による判定結果に応じて、前記格納手段により格納された前記撮影画像データを選別する選別手段をさらに備えることを特徴とするデジタルカメラ。
【請求項５】
請求項４に記載のデジタルカメラにおいて、
前記選別手段は、撮影時における前記撮影光学系が合焦と判定された場合には、前記属性情報に関連付けされた前記撮影画像データを第１の記憶媒体に記録することを特徴とするデジタルカメラ。
【請求項６】
請求項４または５に記載のデジタルカメラにおいて、
前記選別手段は、撮影時における前記撮影光学系が合焦と判定された場合には、前記属性情報に関連付けされた前記撮影画像データを外部装置に出力することを特徴とするデジタルカメラ。
【請求項７】
請求項４乃至６のいずれか一項に記載のデジタルカメラにおいて、
前記選別手段は、撮影時における前記撮影光学系が非合焦と判定された場合には、前記属性情報に関連付けされた前記撮影画像データを第２の記憶媒体に記録することを特徴とするデジタルカメラ。
【請求項８】
請求項４乃至６のいずれか一項に記載のデジタルカメラにおいて、
前記選別手段は、撮影時における前記撮影光学系が非合焦と判定された場合には、前記属性情報に関連付けされた前記撮影画像データを前記格納手段から削除することを特徴とするデジタルカメラ。
【請求項９】
請求項３乃至８のいずれか一項に記載のデジタルカメラにおいて、
前記属性情報は、撮影時における前記撮影光学系の焦点調節状態を示す情報としてデフォーカス量とデフォーカス方向とを含み、
前記属性情報に含まれる前記デフォーカス量および前記デフォーカス方向に基づいて、撮影時における前記撮影光学系の合焦および非合焦を判定するための判定基準を作成する作成手段をさらに備えることを特徴とするデジタルカメラ。
【請求項１０】
請求項９に記載のデジタルカメラにおいて、
前記判定基準の変更操作を受け付ける受付手段をさらに備え、
前記作成手段は、前記受付手段により受け付けられた前記変更操作に応じて、前記判定基準を変更することを特徴とするデジタルカメラ。
【請求項１１】
請求項３乃至１０のいずれか一項に記載のデジタルカメラにおいて、
前記撮像素子から出力された前記画像信号を用いて、前記撮影画像データを生成する画像生成手段をさらに備え、
前記選別手段は、撮影時における前記撮影光学系が非合焦と判定された場合には、前記画像生成手段によって前記画像信号を用いて前記撮影画像データが生成される以前に前記画像信号を削除することを特徴とするデジタルカメラ。
【請求項１２】
撮影開始後の撮影光学系の焦点調節状態を示す属性情報が関連付けされた撮影画像データを入力する入力ステップと、
前記属性情報に基づいて、撮影時における前記撮影光学系が合焦および非合焦のいずれであるかを判定する判定ステップと、
前記撮影光学系が合焦と判定された場合には、入力された前記撮影画像データを第１の記憶媒体に記録する選別ステップとをコンピュータで実行することを特徴とする画像選別プログラム。
【請求項１３】
請求項１２に記載の画像選別プログラムにおいて、
前記選別ステップは、撮影時における前記撮影光学系が非合焦と判定された場合には、入力された前記撮影画像データを第２の記憶媒体に記録することを特徴とする画像選別プログラム。
【請求項１４】
請求項１２に記載の画像選別プログラムにおいて、
前記選別プログラムは、撮影時における前記撮影光学系が非合焦と判定された場合には、入力された前記撮影画像データを削除することを特徴とする画像選別プログラム。
【請求項１５】
請求項１２乃至１４のいずれか一項に記載の画像選別プログラムにおいて、
前記属性情報は、撮影時における前記撮影光学系の焦点調節状態を示す情報としてデフォーカス量とデフォーカス方向とを含み、
前記属性情報に含まれる前記デフォーカス量および前記デフォーカス方向に基づいて、撮影時における前記撮影光学系の合焦および非合焦を判定するための判定基準を作成する作成ステップをさらにコンピュータで実行することを特徴とする画像選別プログラム。
【請求項１６】
請求項１５に記載の画像選別プログラムにおいて、
前記判定基準の変更操作を受け付ける受付ステップをさらにコンピュータで実行し、
前記作成ステップは、受け付けられた前記変更操作に応じて、前記判定基準を変更することを特徴とする画像選別プログラム。
【発明の詳細な説明】
【技術分野】
【０００１】
本発明は、デジタルカメラおよび画像選別プログラムに関する。
【背景技術】
【０００２】
従来から、撮像素子の撮像面に組み込まれた焦点検出素子と、撮像素子とは異なる位置に配置された位相差式焦点検出センサとを備えるカメラが知られている（たとえば特許文献１）。
【先行技術文献】
【特許文献】
【０００３】
【特許文献１】特開２００７−２３３０３２号公報
【発明の概要】
【発明が解決しようとする課題】
【０００４】
しかしながら、ミラーアップから撮像までの間に被写体が撮像面に対して移動するとピントがずれる場合がある。このような場合には、ユーザは撮影画像を確認してピントの良否を判断しなければならず煩雑な作業が必要になるという問題がある。
【課題を解決するための手段】
【０００５】
請求項１に記載の発明によるデジタルカメラは、撮影光学系を介して被写体像を撮像して画像信号を出力する撮像素子と、撮影準備段階において、撮影光学系の焦点調節状態を検出して第１の焦点検出信号を出力する第１の焦点検出素子と、撮像素子に組み込まれ、撮影開始後に、撮影光学系の焦点調節状態を検出して第２の焦点検出信号を出力する第２の焦点検出素子と、第１の焦点検出信号に基づいて、撮影光学系を合焦位置に駆動する焦点調節手段と、撮影動作に応じて撮像素子から出力された画像信号に対応する撮影画像データと、第２の焦点検出信号に基づく属性情報とを関連付けて、格納する格納手段とを備えることを備えることを特徴とする。
請求項１２に記載の発明による画像選別プログラムは、撮影開始後の撮影光学系の焦点調節状態を示す属性情報が関連付けされた撮影画像データを入力する入力ステップと、属性情報に基づいて、撮影時における撮影光学系が合焦および非合焦のいずれであるかを判定する判定ステップと、撮影光学系が合焦と判定された場合には、入力された撮影画像データを第１の記憶媒体に記録する選別ステップとをコンピュータで実行することを特徴とする。
【発明の効果】
【０００６】
本発明のデジタルカメラによれば、撮影画像データと、撮影開始後の第２の焦点検出信号に基づく属性情報とを関連付けて、格納することができる。
また、本発明の画像選別プログラムによれば、属性情報に基づいて、撮影時における撮影光学系が合焦および非合焦のいずれであるかを判定して、撮影光学系が合焦と判定された場合に撮影画像データを記録することができる。
【図面の簡単な説明】
【０００７】
【図１】本発明の実施の形態によるデジタルカメラの要部構成を示す図
【図２】実施の形態によるデジタルカメラの制御系の構成を示すブロック図
【図３】実施の形態によるデジタルカメラの焦点検出エリアの配置の一例を示す図
【図４】実施の形態によるデジタルカメラが有するＡＦ制御部内の機能を説明するブロック図
【図５】実施の形態によるデジタルカメラの動作を説明するフローチャート
【図６】実施の形態によるデジタルカメラの動作を説明するフローチャート
【図７】実施の形態によるデジタルカメラの動作を説明するフローチャート
【図８】変形例による外部機器の制御系の構成を説明するブロック図
【発明を実施するための形態】
【０００８】
図面を参照して、本発明による第１の実施の形態におけるカメラを説明する。図１はデジタルカメラ１の要部構成を示す図である。デジタルカメラ１のボディに、撮影レンズＬ１を備える交換レンズ２が着脱可能に装着されている。デジタルカメラ１のボディ側には、クイックリターンミラー１０、焦点板１１、ペンタプリズム１２、接眼レンズ１３、撮像素子１４、第１焦点検出用センサ１５、第２焦点検出用センサ１６、測光センサ１７およびシャッタ２１が設けられている。撮像素子１４には、撮像用画素が二次元状に配置されるとともに、焦点検出位置に対応した位置に第２焦点検出用センサ１６を構成する焦点検出用画素が組み込まれている。
【０００９】
図２は交換レンズ２が装着されたデジタルカメラ１の制御系のブロック図である。図２において、図１に示した構成要素には同一の符号を付して説明する。図２に示すように、交換レンズ２は撮影レンズＬ１、レンズ駆動部２２を備える。デジタルカメラ１は、撮像素子１４、第１焦点検出センサ１５、第２焦点検出センサ１６、メモリ１７、制御回路１８、ＬＣＤ駆動回路１９、液晶表示器１９１、外部インタフェース２０、操作部３０およびメモリカードインタフェース３１を備えている。
【００１０】
撮影レンズＬ１は、焦点調節レンズＬ１ａや結像レンズ等の複数の光学レンズ群を含んで構成される。なお、図２では撮影レンズＬ１を１枚のレンズで代表して表している。レンズ駆動部２２はたとえばステッピングモータ等により構成され、図示しない信号接点を介して、デジタルカメラ１の制御回路１８からの駆動制御信号に基づいて撮影レンズＬ１を構成する焦点調節レンズＬ１ａを光軸方向に駆動する。
【００１１】
図１を参照して説明すると、撮影レンズＬ１を通過してデジタルカメラ１に入射した被写体光は、シャッタレリーズ前は図１において実線で示すように位置するクイックリターンミラー１０で上方へ導かれて焦点板１１に結像する。焦点板１１に結像された被写体像は、ペンタプリズム１２により接眼レンズ１３および測光センサ１７へ導かれる。その結果、被写体像が撮影者に観察される。被写体光の一部はクイックリターンミラー１０の半透過領域を透過し、サブミラー１０ａにて下方に反射され、第１焦点検出用センサ１５へ入射される。レリーズ後はクイックリターンミラー１０が図１の破線で示される位置へ回動し（ミラーアップ）、シャッタ２１を介して被写体光が撮像素子１４および第２焦点検出センサ１６へ導かれ、その撮像面上に被写体像が結像する。
【００１２】
図２を参照して制御系について詳細に説明する。
撮像素子１４は、二次元状に多数配列された複数の撮影用画素を有する、たとえばＣＣＤやＣＭＯＳ等の光電変換素子である。撮像素子１４は、後述する制御回路１８の制御に応じて駆動して撮影レンズＬ１を通して入力される被写体像を撮像し、撮像して得た画像信号を出力する。撮像素子１４の撮像面には、それぞれＲ（赤）、Ｇ（緑）およびＢ（青）のカラーフィルタが画素位置に対応するように設けられている。撮像素子１４から出力された画像信号は、図示しないＡＦＥ回路等によりアナログ処理（ゲインコントロールなど）が施され、後述する制御回路１８へ出力される。
【００１３】
図３に、本実施の形態におけるデジタルカメラ１の撮影レンズＬ１による撮影画面Ｉｍ内に設定された焦点検出位置（焦点検出エリア）の配置の一例を示す。図３に示すように、撮影画面Ｉｍ内には、焦点検出エリアＲ１〜Ｒ５が設けられているものとする。第１焦点検出センサ１５は撮影レンズＬ１の撮影画面Ｉｍ内に設定された複数の焦点検出エリアＲ１〜Ｒ５に対応して設けられている。第１焦点検出センサ１５は、例えば対のＣＣＤラインセンサーを備え、制御回路１８から出力された指示信号に応じて、対の光像に応じた焦点検出信号（第１焦点検出信号）を制御回路１８に出力する。
【００１４】
第２焦点検出センサ１６は、撮影レンズＬ１による撮影画面Ｉｍ内に設定された複数の焦点検出エリアＲ１〜Ｒ５に対応する位置して設けられ、撮像用画素が二次元状に配置された撮像素子１４に組み込まれて配置されている。第２焦点検出センサ１６は、たとえば対の焦点検出用画素を備え、制御回路１８から出力された指示信号に応じて、焦点検出位置ごとに対の光像に応じた焦点検出信号（第２焦点検出信号）を制御回路１８に出力する。なお、第２焦点検出センサ１６の各焦点検出用画素にも、所定の色（たとえばＧ）のカラーフィルタが設けられている。
【００１５】
図２に示す制御回路１８は、図示しないＣＰＵ、ＲＯＭ、ＲＡＭなどを有し、制御プログラムに基づいて、デジタルカメラ１の各構成要素を制御したり、各種のデータ処理を実行する演算回路である。制御プログラムは、制御回路１８内の不図示の不揮発性メモリに格納されている。
【００１６】
制御回路１８は、画像処理部１８ａ、画像記録部１８ｂ、ＡＦ制御部１８ｃおよび選別部１８ｄを機能的に備える。画像処理部１８ａは、入力した画像信号に対してガンマ補正やホワイトバランス調整等の種々の画像処理を施して画像データを生成する。また、画像処理部１８ａは、メモリカード３２に記録されている画像データに基づいて、後述する液晶表示器１９１に表示するための表示画像データを生成する。
【００１７】
画像記録部１８ｂは、画像処理部１８ａにより生成された画像データに対してＪＰＥＧなどの所定の方式により圧縮処理を行い、ＥＸＩＦなどの形式でメモリカード３２へ記録する。ＡＦ制御部１８ｃは、デジタルカメラ１の焦点検出処理および焦点状態調節処理に関する各種の処理を制御する。選別部１８ｄは、ＡＦ制御部１８ｃによる処理の結果に基づいて、画像処理部１８ａにより生成された画像データを選別して、メモリカード３２への記録処理を制御する。また、選別部１８ｄは、ＡＦ制御部１８ｃによる処理の結果に基づいて、メモリカード３２に記録された画像データの選別処理を行う。なお、ＡＦ制御部１８ｃおよび選別部１８ｄについては、詳細を後述する。
【００１８】
メモリ１７は、画像処理、画像圧縮処理の途中や処理後のデータを一時的に格納するバッファメモリとして使用される揮発性記憶媒体である。外部インタフェース２０は、制御回路１８の制御に従って、たとえばＵＳＢインターフェイスケーブル（不図示）等の所定のケーブルや無線伝送路を介して接続される他の外部機器（たとえば、パーソナルコンピュータ）との間で、双方向通信によるデータの送受を行う。
【００１９】
メモリカードインタフェース３１は、メモリカード３２が着脱可能なインタフェースである。メモリカードインタフェース３１は、制御回路１８の制御に基づいて、画像データをメモリカード３２に書き込んだり、メモリカード３２に記録されている画像データを読み出す。メモリカード３２はコンパクトフラッシュ（登録商標）やＳＤカードなどの半導体メモリカードである。
【００２０】
ＬＣＤ駆動回路１９は、制御回路１８の命令に基づいて液晶表示器１９１を駆動する回路である。液晶表示器１９１は、再生モードにおいて、メモリカード３２に記録されている画像データに基づいて制御回路１８で作成された表示データの表示を行う。また、液晶表示器１９１には、デジタルカメラ１の各種動作を設定するためのメニュー画面が表示される。
【００２１】
操作部３０は、ユーザの操作を受け付ける各種のスイッチであり、操作内容に応じた各種の操作信号を制御回路１８へ出力する。操作部３０は、電源スイッチ、レリーズスイッチ、モード選択スイッチ、十字キー、ＡＦモード選択スイッチ、その他の設定メニューの表示切換スイッチ、設定メニュー決定ボタン等を含む。モード選択スイッチは、デジタルカメラ１の動作を撮影モード、再生モード、画像選別モードとの間で切り替えるための操作をする際に用いられる。なお、画像選別モードは、メモリカード３２に記録された画像データを合焦状態に応じて選別するためのモードである。ＡＦモード選択スイッチは、動体予測ＡＦモードで画像の撮影を行うか否かを選択するためのスイッチである。
【００２２】
動体予測ＡＦモードでは、ユーザによりレリーズスイッチが全押し操作されてから実際に撮影が実行されるまでの時間差（レリーズタイムラグ）の間に被写体に対する撮影レンズＬ１の合焦位置が変化する場合に、撮影レンズＬ１の焦点調節状態がずれることを防ぐためのモードである。動体予測ＡＦモードでは、デジタルカメラ１は、第１焦点検出信号が入力されるごとに算出した被写体距離に基づく被写体の移動速度から、レリーズタイムラグ後の被写体に対する撮影レンズＬ１の合焦位置を合焦予測位置として予測（算出）する。そして、デジタルカメラ１は、焦点調節レンズＬ１ａを合焦予測位置に駆動して焦点調節を行う。たとえば、レリーズタイムラグが０．０１秒であれば、デジタルカメラ１は、ユーザによりレリーズスイッチが全押し操作されてから０．０１秒後の被写体の位置を予測し、この予測した位置に対応する撮影レンズＬ１の合焦位置を合焦予測位置として算出する。
【００２３】
以下、実施の形態によるデジタルカメラ１の動作を画像撮影時における処理と、メモリカード３２に記録された画像データの選別時における処理とに分けて説明する。
【００２４】
１．画像撮影時
動体予測ＡＦモードが選択された状態で、ユーザによるレリーズスイッチの半押し操作に応じて撮影準備指示が行われると開始されるデジタルカメラ１の動作について、ＡＦ制御部１８ｃによる処理を中心に説明する。本実施の形態のデジタルカメラ１は、撮影準備段階では第１焦点検出センサ１５から出力された第１焦点検出信号を用いて動体予測ＡＦを行う。デジタルカメラ１は、レリーズスイッチの全押し操作に応じた撮影開始指示が行われると、第２焦点検出センサ１６から出力された第２焦点検出信号を用いて、撮影レンズＬ１の合焦または非合焦の判定（合焦判定）を行う。そして、デジタルカメラ１は、合焦判定の結果等を含む情報を属性情報として作成し、撮影開始指示に応じて取得された画像データと関連付ける。以下、詳細に説明する。
【００２５】
図４に示すように、ＡＦ制御部１８ｃは、焦点検出指示部１８１、焦点検出部１８２、合焦位置予測部１８３、レンズ駆動制御部１８４および判定部１８５を機能的に備える。それぞれの処理について、レリーズスイッチの半押し操作に伴う撮影準備段階と、レリーズスイッチの全押し操作に伴う撮影開始指示時とに分けて説明する。
【００２６】
（１）撮影準備段階
焦点検出指示部１８１は、ユーザのレリーズスイッチの半押し操作に応じて、操作部３０から操作信号（半押し操作信号）が出力されると、第１焦点検出センサ１５に対して第１焦点検出信号の出力を指示する指示信号を出力する。操作部３０から半押し操作信号を入力している間は、焦点検出指示部１８１は、所定周期ごとに第１焦点検出センサ１５に対して指示信号を出力する。その結果、第１焦点検出センサ１５からは、所定周期ごとに第１焦点検出信号が出力される。
【００２７】
焦点検出部１８２は、第１焦点検出センサ１５から出力される第１焦点検出信号を用いて撮影レンズＬ１の焦点調節状態、ここではデフォーカス量を検出する。なお、以下の説明においては、図３の焦点検出エリアＲ１に対応して配置された第１焦点検出センサ１５からの第１焦点検出信号に基づいて、撮影レンズＬ１の焦点状態が調節されるものとする。
【００２８】
合焦位置予測部１８３は、第１焦点検出信号が入力されるごとに、第１焦点検出信号に基づいて被写体までの距離（被写体距離）を算出する。そして、合焦位置予測部１８３は、被写体に対して公知の動体予測ＡＦ処理を行って、撮影開始時における撮影レンズＬ１の合焦位置、すなわちレリーズタイムラグを見越した合焦位置を予測して、予測合焦位置として算出する。
【００２９】
レンズ駆動制御部１８４は、合焦位置予測部１８３により予測された予測合焦位置を用いて、焦点調節レンズＬ１ａの駆動量を算出する。そして、レンズ駆動制御部１８４は、算出した駆動量に基づいて駆動指示信号をレンズ駆動部２２へ出力して、焦点調節レンズＬ１ａを予測合焦位置へ駆動させる。ＡＦ制御部１８ｃは、ユーザによるレリーズスイッチの全押し操作に応じて操作部３０から操作信号が入力されるまで、上記の処理を繰り返す。
【００３０】
（２）撮影開始指示時
上述した動体予測ＡＦが行われている状態で、ユーザによるレリーズスイッチの全押し操作に応じて操作部３０から操作信号（全押し操作信号）が入力されると、制御回路１８は、上述したようにクイックリターンミラー１０をミラーアップし、シャッタ２１駆動して撮像素子１４および第２焦点検出センサ１６に被写体光を導かせる。すなわち、制御回路１８は、上記の動体予測ＡＦにより撮影レンズＬ１が予測合焦位置に駆動された状態で、撮影処理を開始して撮像素子１４から画像信号を出力させ、画像処理部１８ａは画像データを生成する。
【００３１】
ＡＦ制御部１８ｃの焦点検出指示部１８１は、第２焦点検出センサ１６に対して第２焦点検出信号の出力を指示する指示信号を出力する。そして、焦点検出部１８２は、第２焦点検出センサ１６から入力した第２焦点検出信号を用いて、撮影レンズＬ１の焦点調節状態（デフォーカス量）を検出する。この場合、焦点検出部１８２は、図３の焦点検出エリアＲ１に対応して配置された第２焦点検出センサ１６からの第２焦点検出信号を用いてデフォーカス量を算出する。すなわち、焦点検出部１８２は、動体予測ＡＦに用いた焦点検出エリアと同一の焦点検出エリアに対応する位置に配置された第２焦点検出センサ１６からの第２焦点検出信号を用いてデフォーカス量を検出する。
【００３２】
判定部１８５は、第２焦点検出信号を用いて検出されたデフォーカス量を用いて、予測合焦位置に駆動された撮影レンズＬ１の合焦判定を行う。すなわち、判定部１８５は、検出されたデフォーカス量が予め設定されている第１判定閾値以内であるか否かを判定する。そして、判定部１８５は、デフォーカス量が第１判定閾値以内の場合には合焦と判定し、第１判定閾値を超える場合には非合焦と判定する。換言すると、合焦と判定された場合には、動体予測ＡＦによって予測された予測合焦位置が正しかったことを意味し、非合焦の場合には、動体予測ＡＦによって予測された予測合焦位置が正しくなかったことを意味する。そして、判定部１８５は、上記の合焦判定の結果に基づいて、撮影時における撮影レンズＬ１の焦点調節状態を示す情報、すなわち合焦または非合焦の判定結果、デフォーカス量およびデフォーカス方向（前ピン、後ピン）の情報を含む属性情報を作成する。
【００３３】
上述したようにして属性情報が作成されると、画像記録部１８ｂは、判定部１８５により作成された属性情報を、画像データの付加情報部に記録して、ＥＸＩＦ形式にて画像ファイルを作成する。そして、画像記録部１８ｂは、作成した画像ファイルを一旦メモリ１７に格納する。このようにして画像ファイルに記録された属性情報は、選別部１８ｄが画像データの記録処理を行う際の選別処理に用いられる。
【００３４】
以下、編集部１８ｄによる処理について説明する。なお、以下の説明においては、合焦と判定された属性情報と関連付けされた画像ファイルを合焦画像ファイル、非合焦と判定された属性情報と関連付けされた画像ファイルを非合焦画像ファイルと呼ぶ。選別部１８ｄは、画像記録部１８ｂにより生成され、メモリ１７に格納された画像ファイルの付加情報部に記録された属性情報を読み出す。そして、選別部１８ｄは、合焦と判定された属性情報を含む場合には、その画像ファイルを合焦画像ファイルとして判定し、非合焦と判定された属性情報を含む場合には、非合焦画像ファイルとして判定する。
【００３５】
画像ファイルが合焦画像ファイルであるか非合焦画像ファイルであるかが判定されると、選別部１８ｄにより以下の（１）〜（３）の記録条件に従って画像ファイルが選別され、記録が制御される。選別部１８ｄが（１）〜（３）のいずれの処理を行うかは、ユーザが液晶表示器１９１に表示されたメニュー画面上から設定可能に構成されている。
（１）合焦画像ファイルと非合焦画像ファイルとをメモリカード３２の異なる記録領域に記録する。
（２）合焦画像ファイルを外部機器へ送信し、非合焦画像ファイルをメモリカード３２に記録する。
（３）非合焦画像ファイルをメモリカード３２に記録せずに削除する。
以下、（１）〜（３）の場合のそれぞれについて説明する。
【００３６】
（１）合焦画像ファイルと非合焦画像ファイルとをメモリカード３２の異なる記録領域に記録
画像ファイルが合焦画像ファイルであると判定された場合、選別部１８ｄは、画像記録部１８ｂを制御して、合焦画像ファイルをメモリカード３２内の合焦画像フォルダ３２ａ（図２）に記録させる。すなわち、画像記録部１８ｂは、選別部１８ｄの制御に応じて、合焦画像ファイルをメモリカードインタフェース３１を介してメモリカード３２へ出力し、合焦画像フォルダ３２ａに記録させる。画像ファイルが非合焦画像ファイルであると判定した場合、選別部１８ｄは、画像記録部１８ｂを制御して、非合焦画像ファイルをメモリカード３２内の非合焦画像フォルダ３２ｂ（図２）に記録させる。すなわち、画像記録部１８ｂは、選別部１８ｄの制御に応じて、非合焦画像ファイルをメモリカードインタフェース３１を介してメモリカード３２へ出力し、非合焦画像フォルダ３２ｂに記録させる。合焦画像ファイルまたは非合焦画像ファイルのメモリカード３２への記録が終了すると、選別部１８ｄは、画像記録部１８ｂを制御して、メモリ１７に格納されていた画像ファイルを削除する。
【００３７】
（２）合焦画像ファイルを外部機器へ送信、非合焦画像ファイルをメモリカード３２に記録
画像ファイルが合焦画像ファイルであると判定された場合、選別部１８ｄは、画像記録部１８ｂを制御して、合焦画像ファイルを外部機器へ送信させる。すなわち、画像記録部１８ｂは、選別部１８ｄの制御に応じて、合焦画像ファイルを外部インタフェース３０を介して外部機器へ送信する。画像ファイルが非合焦画像ファイルであると判定された場合、選別部１８ｄは、画像記録部１８ｂを制御して、非合焦画像ファイルをメモリカード３２に記録させる。すなわち、画像記録部１８ｂは、選別部１８ｄの制御に応じて、非合焦画像ファイルをメモリカードインタフェース３１を介してメモリカード３２へ出力する。合焦画像ファイルの送信または非合焦画像ファイルのメモリカード３２の非合焦画像フォルダ３２ｂへの記録が終了すると、選別部１８ｄは、画像記録部１８ｂを制御して、メモリ１７に格納されていた画像ファイルを削除する。また、選別部１８ｄは、合焦画像ファイルを外部機器へ送信するとともに、メモリカード３２に記録させるようにしてもよい。この場合、選別部１８ｄは、合焦画像ファイルを、上記（１）の場合と同様に合焦画像フォルダ３２ａに記録させればよい。
【００３８】
（３）非合焦画像ファイルを削除
画像ファイルが非合焦画像ファイルであると判定された場合、選別部１８ｄは、画像記録部１８ｂを制御して、非合焦画像ファイルをメモリ１７から削除させる。すなわち、選別部１８ｄは、非合焦画像ファイルのメモリカード３２への記録を禁止する。画像ファイルが合焦画像ファイルであると判定された場合、選別部１８ｄは、ユーザにより上記（１）の設定がされているときには、画像記録部１８ｂを制御して、合焦画像ファイルをメモリカード３２に記録させる。なお、この場合も、選別部１８ｄは、合焦画像ファイルをメモリカード３２内の合焦画像フォルダ３２ａに記録させるものとする。ユーザにより上記（２）の設定がされているときには、選別部１８ｄは、画像記録部１８ｂを制御して、合焦画像ファイルを外部機器へ送信させる。
【００３９】
図５、図６に示すフローチャートを参照しながら、以上で説明した画像撮影時におけるデジタルカメラ１の動作を説明する。図５、図６の処理を行うプログラムは制御回路１８内の図示しないメモリに格納されている。図５、図６の処理を行うプログラムは、ユーザにより撮影モードが設定されたときに動体予測ＡＦモードが選択されると、制御回路１８により起動され、実行される。
【００４０】
ステップＳ１０１では、ユーザによるレリーズスイッチの半押し操作の有無を判定する。操作部３０から半押し操作信号を入力した場合はステップＳ１０１が肯定判定されてステップＳ１０２へ進む。操作部３０から半押し操作信号を入力しない場合は、ステップＳ１０１が否定判定されて当該判定処理を繰り返す。ステップＳ１０２においては、第１焦点検出センサ１５へ第１焦点検出信号の出力を指示してステップＳ１０３へ進む。ステップＳ１０３では、入力した第１焦点検出信号を用いてデフォーカス量を検出してステップＳ１０４へ進む。
【００４１】
ステップＳ１０４では、動体予測ＡＦを行って予測合焦位置を算出してステップＳ１０５へ進む。ステップＳ１０５では、レンズ駆動部２２を介して、算出した予測合焦位置へ焦点調節レンズＬ１ａを駆動させてステップＳ１０６へ進む。ステップＳ１０６では、ユーザによるレリーズスイッチの全押し操作の有無を判定する。操作部３０から全押し操作信号を入力した場合は、ステップＳ１０６が肯定判定されてステップＳ１０７へ進む。操作部３０から全押し操作信号を入力しない場合は、ステップＳ１０６が否定判定されてステップＳ１１５へ進む。ステップＳ１１５では、ステップＳ１０１と同様にして、ユーザによるレリーズスイッチの半押し操作が行われているか否かを判定する。操作部３０から半押し操作信号を入力している場合はステップＳ１１５が肯定判定されてステップＳ１０２へ戻り、半押し操作信号を入力しない場合はステップＳ１１５が否定判定されて処理を終了する。
【００４２】
ステップＳ１０７では、クイックリターンミラー１０をミラーアップさせ、シャッタ２１を開いてステップＳ１０８へ進む。ステップＳ１０８では、撮像素子１４に対して撮像処理を行わせてステップＳ１０９へ進む。ステップＳ１０９では、撮像素子１４から画像信号を出力させ、第２焦点検出センサ１６から第２焦点検出信号を出力させてステップＳ１１０へ進む。ステップＳ１１０では、ステップＳ１０９で出力された第２焦点検出信号を用いて合焦判定を行ってステップＳ１１１へ進む。
【００４３】
ステップＳ１１１では、ステップＳ１１０における合焦判定の結果を用いて属性情報を作成してステップＳ１１２へ進む。ステップＳ１１２では、ステップＳ１０９で出力された画像信号に基づく画像データを用いて画像ファイルを生成し、画像ファイルの付加情報部にステップＳ１１１で作成した属性情報を記録して、メモリ１７に格納してステップＳ１１３へ進む。ステップＳ１１３では、記録制御処理を行ってステップＳ１１４へ進む。なお、ステップＳ１１３における記録制御処理の詳細については、図６に示すフローチャートを用いて後述する。
【００４４】
ステップＳ１１４では、撮影モードが終了か否かを判定する。ユーザにより動体予測ＡＦモードが解除されたり、ユーザにより再生モードに設定されたり、デジタルカメラ１の電源がオフとされ、撮影モードが終了された場合には、ステップＳ１１４が肯定判定されて処理を終了する。撮影モードが終了されていない場合には、ステップＳ１１４が否定判定されてステップＳ１０１へ戻る。
【００４５】
次に、図６に示すフローチャートを参照しながら、図５のステップＳ１１３における記録制御処理の詳細について説明する。
ステップＳ２０１では、図５のステップＳ１１２で作成されメモリ１７に格納された画像ファイルが合焦画像ファイルであるか否かを判定する。画像ファイルが合焦と判定された属性情報を含んでいる場合には、ステップＳ２０１が肯定判定されてステップＳ２０２へ進む。画像ファイルが非合焦と判定された属性情報を含んでいる場合には、ステップＳ２０１が否定判定されて後述するステップＳ２０５へ進む。
【００４６】
ステップＳ２０２では、ユーザにより合焦画像ファイルをメモリカード３２に記録する選択が行われているか否かを判定する。合焦画像ファイルをメモリカード３２に記録する選択がされている場合は、ステップＳ２０２が肯定判定されてステップＳ２０３へ進む。ステップ２０３ではメモリカードインタフェース３１を介して合焦画像ファイルをメモリカード３２の合焦画像フォルダ３２ａに記録させてステップＳ２０７へ進む。合焦画像ファイルをメモリカード３２に記録する選択がされていない場合は、ステップＳ２０２が否定判定されてステップＳ２０４へ進む。ステップＳ２０４では、合焦画像ファイルを外部インタフェース２０を介して外部機器へ送信させてステップＳ２０７へ進む。
【００４７】
ステップＳ２０１が否定判定されるとステップＳ２０５へ進み、ユーザにより非合焦画像ファイルをメモリカード３２に記録する選択が行われているか否かを判定する。非合焦画像ファイルをメモリカード３２に記録する選択が行われている場合は、ステップＳ２０５が肯定判定されてステップＳ２０６へ進む。ステップＳ２０６では、メモリカードインタフェース３１を介して非合焦画像ファイルをメモリカード３２の非合焦画像フォルダ３２ｂに記録させてステップＳ２０７へ進む。非合焦画像ファイルをメモリカード３２に記録する選択が行われていない場合には、ステップＳ２０５が否定判定されてステップＳ２０７へ進む。ステップＳ２０７では、メモリ１７に格納されて画像ファイルを削除して処理を終了する。
【００４８】
２．画像選別時
画像選別モードが選択されると、選別部１８ｄは、メモリカード３２の合焦画像フォルダ３２ａに記録された合焦画像ファイルを、判定基準にしたがって選別処理を行う。選別部１８ｄは、判定基準を満たしていない合焦画像ファイルを非合焦画像ファイルとして選別する。選別処理を行う際、選別部１８ｄは、合焦画像ファイルの付加情報部に記録された属性情報を参照する。すなわち、選別部１８ｄは、属性情報に含まれるデフォーカス量またはデフォーカス方向が判定基準を満たしていない場合には、その属性情報が記録された合焦画像ファイルを非合焦画像ファイルとして判定する。そして、選別部１８ｄは、画像記録部１８ｂを制御して、非合焦画像ファイルとして判定された画像ファイルを合焦画像フォルダ３２ａから削除し、非合焦画像フォルダ３２ｂに記録する。
【００４９】
判定基準は、属性情報に含まれるデフォーカス量とデフォーカス方向とに関する基準であり、たとえば以下の（１）〜（３）の３つの基準がある。この判定基準はユーザにより変更可能に構成されている。ユーザによる判定基準の変更操作は、液晶表示器１９１に表示されるメニュー画面上の各種項目を操作部３０で選択、設定操作することにより行われるものとする。また、属性情報に含まれるデフォーカス量に対しては、判定基準として所定の第２判定閾値が用意されている。この第２判定閾値もユーザにより変更可能に設定されるものとする。この場合も、変更操作は、液晶表示器１９１に表示されるメニュー画面の各種項目を操作部３０で選択、設定操作することにより行われる。
（１）前ピン優先
（２）後ピン優先
（３）前後均等
【００５０】
（１）前ピン優先
画像のピントが後ピンよりも前ピンにずれている方が好ましい画像に対して選択される。たとえば、サッカーをしている選手を撮影した画像で、シュートする選手の後方からゴールキーパーを撮影した画像である場合、ゴールキーパーよりも後方にピントが合っている画像よりも、ゴールキーパーより前方にピントが合っている画像の方が好ましい。前ピン優先は、このような画像を選別する際にユーザによって選択される。
【００５１】
第２判定閾値には、前ピン側判定閾値と後ピン側判定閾値とが含まれている。そして、前ピン優先が選択された場合には、選別部１８ｄは、前ピン側判定閾値が後ピン側判定閾値よりも大きな値（前ピン側判定閾値＞後ピン側判定閾値）となるように各判定閾値を設定する。換言すると、後ピンの画像に対しては判定基準が厳しく設定されることになる。なお、上述したように、各判定閾値はユーザの操作によりその値が変更可能に構成されている。
【００５２】
選別部１８ｄは、合焦画像ファイルの属性情報に含まれるフォーカス方向を参照する。属性情報のフォーカス方向が前ピンの場合、選別部１８ｄは、その属性情報に含まれるデフォーカス量と前ピン側判定閾値との間で大小を比較する。デフォーカス量が前ピン側判定閾値以内の場合には、選別部１８ｄは、その属性情報が記録された画像ファイルを合焦画像ファイルと判定する。デフォーカス量が前ピン側判定閾値を超える場合には、選別部１８ｄは、その属性情報が記録された画像ファイルを非合焦画像ファイルと判定する。
【００５３】
属性情報のフォーカス方向が後ピンの場合、選別部１８ｄは、その属性情報に含まれるデフォーカス量と後ピン側判定閾値との間で大小を比較する。デフォーカス量が後ピン側判定閾値以内の場合には、選別部１８ｄは、その属性情報が記録された画像ファイルを合焦画像ファイルと判定する。デフォーカス量が後ピン側判定閾値を超える場合には、選別部１８ｄは、その属性情報が記録された画像ファイルを非合焦画像ファイルと判定する。
【００５４】
（２）後ピン優先
画像のピントが前ピンよりも後ピンにずれている方が好ましい画像に対して選択される。たとえば、サッカーをしている選手を撮影した画像で、シュートする選手をそのシュートする選手の後方から撮影した画像である場合、シュートする選手よりも前方（撮影者側）にピントが合っている画像よりも、シュートする選手より前方（ゴールキーパー側）にピントが合っている画像の方が好ましい。後ピン優先は、このような画像を選別する際にユーザによって選択される。
【００５５】
後ピン優先が選択された場合には、選別部１８ｄは、後ピン側判定閾値が前ピン側判定閾値よりも大きな値（後ピン側判定閾値＞前ピン側判定閾値）となるように各判定閾値を設定する。換言すると、前ピンの画像に対しては判定基準が厳しく設定されることになる。なお、上述したように、各判定閾値はユーザの操作によりその値が変更可能に構成されている。
【００５６】
選別部１８ｄは、合焦画像ファイルの属性情報に含まれるフォーカス方向を参照する。属性情報のフォーカス方向が前ピンの場合、選別部１８ｄは、その属性情報に含まれるデフォーカス量と前ピン側判定閾値との間で大小を比較する。デフォーカス量が前ピン側判定閾値以内の場合には、選別部１８ｄは、その属性情報が記録された画像ファイルを合焦画像ファイルと判定する。デフォーカス量が前ピン側判定閾値を超える場合には、選別部１８ｄは、その属性情報が記録された画像ファイルを非合焦画像ファイルと判定する。
【００５７】
属性情報のフォーカス方向が後ピンの場合、選別部１８ｄは、その属性情報に含まれるデフォーカス量と後ピン側判定閾値との間で大小を比較する。デフォーカス量が後ピン側判定閾値以内の場合には、選別部１８ｄは、その属性情報が記録された画像ファイルを合焦画像ファイルと判定する。デフォーカス量が後ピン側判定閾値を超える場合には、選別部１８ｄは、その属性情報が記録された画像ファイルを非合焦画像ファイルと判定する。
【００５８】
（３）前後均等
取得した画像を大判の写真として印刷するような場合や、上質な紙面に印刷するような場合には、合焦精度の高い高画質の画像を選択することが好ましい。このような場合に前後均等が選択される。前後均等が選択された場合には、選別部１８ｄは、第２判定閾値の値が、撮影時に用いた第１判定閾値よりも小さな値（第１判定閾値＞第２判定閾値）となるように第２判定閾値を設定する。換言すると、撮影時の合焦判定よりも判定基準が厳しく設定されることになる。なお、上述したように、第２判定閾値はユーザの操作によりその値が変更可能に構成されている。
【００５９】
選別部１８ｄは、合焦画像ファイルの属性情報に含まれるデフォーカス量と第２定閾値との間で大小を比較する。デフォーカス量が第２判定閾値以内の場合には、選別部１８ｄは、その属性情報が記録された画像ファイルを合焦画像ファイルと判定する。デフォーカス量が第２判定閾値を超える場合には、選別部１８ｄは、その属性情報が記録された画像ファイルを非合焦画像ファイルと判定する。
【００６０】
上述したように、選別部１８ｄは、前ピン優先、後ピン優先および前後均等のいずれかにより合焦判定を行うと、上述した撮影時における（１）〜（３）の記録条件に従って、合焦画像ファイルと非合焦画像ファイルの記録を制御する。すなわち、撮影時には合焦画像ファイルと判定された画像であっても、画像選別時に非合焦画像ファイルと判定された場合には、上述した撮影時における非合焦画像ファイルと同様にして記録が制御される。
【００６１】
図７に示すフローチャートを参照して、画像選別時におけるデジタルカメラ１の動作を説明する。図７の処理を行うプログラムは制御回路１８内の図示しないメモリに格納されている。図７の処理を行うプログラムは、ユーザにより画像選別モードが選択されると、制御回路１８により起動され、実行される。
【００６２】
ステップＳ３００では、メモリカード３２内の合焦画像フォルダ３２ａに記録された画像ファイルのうち１つの画像ファイルを選択して読出し、ステップＳ３０１へ進む。ステップＳ３０１では、ユーザにより前ピン優先の選択が行われたか否かを判定する。前ピン優先の選択が行われている場合は、ステップＳ３０１が肯定判定されてステップＳ３０２へ進む。前ピン優先の選択が行われていない場合は、ステップＳ３０１が否定判定されて後述するステップＳ３０５へ進む。
【００６３】
ステップＳ３０２では、ステップＳ３００で選択された画像ファイルの属性情報に含まれるデフォーカス方向が前ピンであるか否かを判定する。属性情報に含まれるデフォーカス方向が前ピンの場合、ステップＳ３０２が肯定判定されてステップＳ３０３へ進む。ステップＳ３０３では、属性情報に含まれるデフォーカス量と第２判定閾値に含まれる前ピン側判定閾値との大小を比較してステップＳ３１０へ進む。属性情報に含まれるデフォーカス方向が後ピンの場合には、ステップＳ３０２が否定判定されてステップＳ３０４へ進む。ステップＳ３０４では、属性情報に含まれるデフォーカス量と第２判定閾値に含まれる後ピン側判定閾値との大小を比較してステップＳ３１０へ進む。
【００６４】
ステップＳ３０１が否定判定されて進んだステップＳ３０５では、ユーザにより後ピン優先の選択が行われているか否かを判定する。ユーザにより後ピン優先が選択されている場合には、ステップＳ３０５が肯定判定されてステップＳ３０６へ進む。ユーザにより前後均等が選択されている場合には、ステップＳ３０５が否定判定されて後述するステップＳ３０９へ進む。
【００６５】
ステップＳ３０６では、ステップＳ３００で選択された画像ファイルの属性情報に含まれるデフォーカス方向が後ピンであるか否かを判定する。属性情報に含まれるデフォーカス方向が後ピンの場合、ステップＳ３０６が肯定判定されてステップＳ３０７へ進む。ステップＳ３０７では、属性情報に含まれるデフォーカス量と第２判定閾値に含まれる後ピン側判定閾値との大小を比較してステップＳ３１０へ進む。属性情報に含まれるデフォーカス方向が前ピンの場合には、ステップＳ３０６が否定判定されてステップＳ３０８へ進む。ステップＳ３０８では、属性情報に含まれるデフォーカス量と第２判定閾値に含まれる前ピン側判定閾値との大小を比較してステップＳ３１０へ進む。
【００６６】
ステップＳ３０５が否定判定されるとステップＳ３０９へ進み、属性情報に含まれるデフォーカス量と第２判定閾値との大小を比較してステップＳ３１０へ進む。ステップＳ３１０では、上述したステップＳ３０３〜３０４、３０７〜３０９のいずれかの処理結果に基づいて、ステップＳ３００で選択された画像ファイルが合焦画像ファイルであるか非合焦画像ファイルであるかを判定してステップＳ３１１へ進む。ステップＳ３１１では、図６のフローチャートに示す処理と同様の記録制御処理を行って、ステップＳ３１２へ進む。ステップＳ３１２では、メモリカード３２の合焦画像フォルダ３２ａ内の全ての画像ファイルについて処理が終了したか否かを判定する。全ての画像ファイルに対して処理が終了した場合には、ステップＳ３１１が肯定判定されて画像選別処理を終了する。まだ処理されていない画像ファイルが存在する場合には、ステップＳ３１１が否定判定されてステップＳ３００へ戻る。
【００６７】
以上で説明した実施の形態のデジタルカメラによれば、以下の作用効果が得られる。
（１）撮像素子１４は撮影レンズＬ１を介して被写体像を撮像して画像信号を出力し、第１焦点検出センサ１５は、撮影準備段階において、撮影レンズＬ１の焦点調節状態を検出して第１焦点検出信号を出力する。第２焦点検出センサ１６は、撮像素子１４に組み込まれ、撮影開始後に、撮影レンズＬ１の焦点調節状態を検出して第２焦点検出信号を出力し、レンズ駆動制御部１８４は第１焦点検出信号に基づいて、撮影レンズＬ１を合焦位置に駆動させる。そして、画像記録部１８ｂは、撮影動作に応じて撮像素子１４から出力された画像信号に対応する撮影画像データと、第２焦点検出信号に基づく撮影開始後に、撮影レンズＬ１の焦点調節状態を示す属性情報とを関連付けて、メモリ１７に格納するようにした。したがって、ユーザによりレリーズスイッチが全押し操作されてからのレリーズタイムラグの間に被写体が移動しているような場合に、合焦精度を判定し、その判定結果を画像データと関連付けることができるので、合焦結果に基づいて画像を選別する作業の省力化に寄与する。
【００６８】
（２）合焦位置予測部１８３は、第１焦点検出信号に基づいて、撮影時の被写体の移動を予測して、レンズ駆動制御部１８４は予測結果に基づいて撮影レンズＬ１を合焦位置に駆動するようにした。特に予測ＡＦを行うような場合には、予測合焦位置と撮影時の合焦位置とがずれる可能性が高い。したがって、予測ＡＦに基づいて生成された画像データと、合焦および非合焦の判定結果を含む属性情報とが関連付けされていると、合焦結果に基づいて画像を選別する作業を行う際の省力化への寄与度を高めることができる。
【００６９】
（３）判定部１８５は、属性情報に基づいて、撮影時における撮影レンズＬ１が合焦および非合焦のいずれであるかを判定し、選別部１８ｄは判定結果に応じて、メモリ１７に格納された撮影画像データを選別するようにした。したがって、ユーザが実際の画像を確認することなく、合焦および非合焦の判定を行って画像データの選別が可能になるので、ユーザによる作業負荷を低減できる。
【００７０】
（４）選別部１８ｄは、撮影時における撮影レンズＬ１が合焦と判定された場合には、画像記録部１８ｂを制御して、属性情報に関連付けされた画像データ、すなわち合焦画像ファイルをメモリカード３２の合焦画像フォルダ３２ａに記録させるようにした。さらに、選別部１８ｄは、撮影時における撮影レンズＬ１が非合焦と判定された場合には、画像記録部１８ｂを制御して、属性情報に関連付けされた非合焦画像ファイルをメモリカード３２の非合焦画像フォルダ３２ｂに記録させるようにした。したがって、合焦画像ファイルと非合焦画像ファイルとの記録先がことなっているので、後に複数の画像の中から合焦精度の高い画像を選別する際に、非合焦であることが明白な画像を最初から選別対象から除外できる。
【００７１】
（５）選別部１８ｄは、撮影時における撮影レンズＬ１が合焦と判定された場合には、画像記録部１８ｂを制御して、属性情報に関連付けされた合焦画像ファイルを外部装置に出力させるようにした。したがって、後にパソコン等を用いて複数の画像の中から合焦精度の高い画像を選別する際に、非合焦であることが明白な画像を最初から選別対象から除外できる。
【００７２】
（６）選別部１８ｄは、撮影時における撮影レンズＬ１が非合焦と判定された場合には、画像記録部１８ｂを制御して、属性情報に関連付けされた非合焦画像ファイルをメモリ１７から削除させるようにした。したがって、選別の対象となる可能性が低い非合焦画像ファイルをメモリカード３２に記録しないので、メモリカード３２の記録容量の確保に寄与できる。
【００７３】
（７）選別部１８ｄは、属性情報に含まれるデフォーカス量およびデフォーカス方向に基づいて、撮影時における撮影レンズＬ１の合焦および非合焦を判定するための判定基準を作成し、ユーザによる判定基準の変更操作に応じて、判定基準を変更するようにした。したがって、撮影状況によって前ピンまたは後ピンが好ましい、もしくは画像を後に上質紙に大きな写真として印刷する場合のように高い合焦精度が要求することが好ましい等の様々なユーザの所望に合わせることができる。
【００７４】
以上で説明した実施の形態のデジタルカメラを、以下のように変形できる。
（１）判定部１８５による判定結果に応じて、画像処理部１８ａは画像信号から画像データを生成しないようにしてもよい。この場合、判定部１８５の判定結果が非合焦の場合には、選別部１８ｄは、画像処理部１８ａに対して、画像データの生成を禁止させるとともに、撮像素子１４から入力された画像信号を破棄させる。この結果、非合焦であることが明らかな画像データ、すなわち失敗写真の画像データを生成するための処理を行わないので、処理負荷を低減できる。さらには、画像データを生成するために画像信号を一時的に格納するメモリ（不図示）の記録容量を確保することができる。
【００７５】
（２）画像選別モードが設定されると行われる画像選別処理を画像撮影時に行うようにしてもよい。すなわち、画像ファイルが生成されメモリ１７に格納された後、図７のフローチャートに示す画像選別処理を行うようにしてもよい。この結果、画像を撮影した時点で、ユーザが所望する合焦の精度が得られた画像ファイルが選別されるので、後から改めて画像選別処理を行う手間を省くことができる。なお、画像選別モードと、画像撮影時に画像選別処理を行うモード（リアルタイムモード）とをユーザにより選択可能に構成してもよい。
【００７６】
（３）画像撮影時に特に連写撮影により画像ファイルを取得する場合、連写速度に基づいて、合焦画像ファイルに対する記録制御を通常モードと優先モードとの間で切り替えるようにしてもよい。ここで、通常モードは上記実施の形態の場合と同様に画像ファイルの記録制御を行うモードであり、優先モードは時系列的に連続して取得される画像ファイルのうち、合焦画像ファイルを優先してメモリカード３２へ記録または外部機器へ送信するモードである。この場合、選別部１８ｄは、連写撮影モードが設定されると、連写速度に関する情報（速度情報）を取得する。そして、選別部１８ｄは、取得した速度情報が予め設定された閾値未満の場合、すなわち低速連写の場合、画像記録部１８ｃに対して、通常モードでの画像ファイルの記録制御を行わせる。取得した速度情報が閾値以上の場合、すなわち高速連写の場合、選別部１８ｄは、画像記録部１８ｃに対して、優先モードでの画像ファイルの記録制御を行わせる。
【００７７】
（４）動体予測ＡＦを行う際に、複数の焦点検出エリア、すなわち図３の焦点検出エリアＲ５を中心として、近傍の焦点検出エリアＲ１〜Ｒ３に対応する第１焦点検出センサ１５からの第１焦点検出信号を用いる場合（ダイナミックＡＦ）は、単独の焦点検出エリアＲ５のみ用いる場合よりも第１判定閾値を大きな値に設定してもよい。
【００７８】
（５）動体予測ＡＦモードが設定されていない場合であっても、第２焦点検出センサ１６から出力された第２焦点検出信号を用いて合焦判定を行い、判定結果に応じて画像ファイルの記録制御を行うようにしてもよい。その結果、ユーザによりレリーズスイッチが全押し操作されてからのレリーズタイムラグの間に被写体が移動を開始したような場合に、合焦精度を判定することができる。
【００７９】
（６）属性情報を画像ファイルの付加情報部に記録するものに代えて、属性情報と画像ファイルとを関連付ける関連付けデータをメモリカード３２に記録してもよい。もしくは、複数のメモリカード３２が装着可能に構成されている場合、画像ファイルと属性情報とをそれぞれ異なるメモリカード３２に記録して、関連付けを示すテーブル等を用いて管理してもよい。また、複数のメモリカード３２が装着可能に構成されている場合は、選別部１８ｄは、画像記録部ｂを制御して、合焦画像ファイルと非合焦画像ファイルとを、それぞれ異なるメモリカード３２に記録させるようにしてもよい。
【００８０】
（７）判定部１８５による判定結果に応じて撮影し直しを促すようにしてもよい。たとえば、非合焦であることが明らかな画像が数多く含まれている、あるいはピントずれが非常に大きい画像が含まれていることが判明した場合には、失敗写真が数多く含まれている可能性が高い。このような場合に、ユーザに対して撮影のし直しを促すメッセージ等を液晶表示器１９１上に告知（表示）することで、ユーザは撮り直しを行うことができる。
【００８１】
（８）本発明をデジタルカメラ以外の電子機器、たとえば画像選別処理の実行が可能なパーソナルコンピュータ等に適用することができる。この場合の電子機器として、パーソナルコンピュータ（以下、パソコン）の画像選別処理を一例として説明する。図８は外部機器２００（たとえばパーソナルコンピュータ）の一例を示す概略制御ブロック図である。外部機器２００は、制御部２０１、ＨＤＤ２０２、メモリカードインタフェース２０３、マウスやキーボード等により構成される操作部２０４、モニタ２０５、外部インタフェース２０６およびメモリ２０７を有する。制御部２０１は、各ブロックから出力される信号を入力して所定の演算を行い、演算結果に基づく制御信号を各ブロックへ出力する。ＨＤＤ２０２は、たとえばデジタルカメラ１から送信された画像ファイルや、メモリカード３２から読み込まれた画像ファイルを格納する。外部インタフェース２０６は、所定のケーブルや無線伝送路を介してデジタルカメラ１等との間でデータ通信を行う。
【００８２】
外部機器２００により画像選別処理を実行する場合、ユーザによる指示操作に応じて画像選別ソフトが起動されて実行される。この画像選別ソフトは、外部機器２００の制御部２０１内の不図示メモリに記録されている。ユーザによる操作部２０４の操作に応じて画像選別ソフトの起動が指示されると、制御部２０１は画像選別ソフトを起動する。画像選別ソフトが起動されると、制御部２０１は、ＨＤＤ２０２に記録された画像ファイル、またはメモリカード３２が装着された場合は、メモリカードインタフェース２０３を介してメモリカード３２に記録された画像ファイルの付加情報部に記録された属性情報を読み出す。なお、このとき取得された画像ファイルは、属性情報として合焦または非合焦の判定結果、デフォーカス量およびデフォーカス方向を含むものとする。
【００８３】
制御部２０１は、読み出した属性情報に含まれる合焦、非合焦の判定結果、デフォーカス量およびデフォーカス方向に基づいて、図７のフローチャートに示す処理と同様にして、画像選別処理を行う。なお、この場合も、各種の判定閾値や前ピン優先、後ピン優先、前後均等などの設定、選択は、モニタ２０５に表示されたメニュー画面上からのユーザによる操作部２０４の操作に応じて行われればよい。
【００８４】
また、本発明の特徴を損なわない限り、本発明は上記実施の形態に限定されるものではなく、本発明の技術的思想の範囲内で考えられるその他の形態についても、本発明の範囲内に含まれる。説明に用いた実施の形態および変形例は、それぞれを適宜組合わせて構成しても構わない。
【符号の説明】
【００８５】
１・・・デジタルカメラ、  １４・・・撮像素子、
１５・・・第１焦点検出センサ、  １６・・・第２焦点検出センサ、
１７・・・メモリ、  １８・・・制御回路、
２２・・・レンズ駆動部、  ３０・・・操作部、
１８ａ・・・画像処理部、  １８ｂ・・・画像記録部、
１８ｃ・・・ＡＦ制御部、  １８ｄ・・・選別部、
１８３・・・合焦位置予測部、  １８４・・・レンズ駆動制御部、
１８５・・・判定部、  ２００・・・外部機器、
２０１・・・制御部、  ２０４・・・操作部、
２０６・・・外部インタフェース
【図１】
2011209450.tif 000003
【図２】
2011209450.tif 000004
【図３】
2011209450.tif 000005
【図４】
2011209450.tif 000006
【図５】
2011209450.tif 000007
【図６】
2011209450.tif 000008
【図７】
2011209450.tif 000009
【図８】
2011209450.tif 000010